(57)【要約】 【課題】  操作盤の誤動作を未然に防止することができるエスカレータ装置を提供する。【解決手段】  エスカレータ装置１０は一対の欄干７，７と、一対の欄干７，７間に移動自在に設けられた複数の踏段８と、各欄干７を支持するスカートガードパネル５とを備えている。スカートガードパネル５に操作盤１１が設けられている。操作盤１１はスカートガードパネル５に対して回動する操作盤本体１２と、操作盤本体１２の前面１２ａに設けられたストップボタン１３、運転操作キースイッチ１４およびロック解除キースイッチ１５とを有している。【選択図】  図２
2005225615.tif 000002
【特許請求の範囲】
【請求項１】
手摺りベルトを支持する一対の欄干と、
各欄干の下方に配置されたスカートガードパネルと、
一対の欄干の間に移動自在に配置された複数の踏段と、
スカートガードパネルに設けられた操作盤とを備え、
操作盤はスカートガードパネルに対して引出自在になっている操作盤本体と、操作盤本体の前面に設けられたキースイッチおよび操作ボタンとを有することを特徴とするエスカレータ装置。
【請求項２】
操作盤本体はスカートガードパネルに対して回動し、スカートガードパネル内に収納された収納位置と、スカートガードパネルから引出された引出位置とをとることを特徴とする請求項１記載のエスカレータ装置。
【請求項３】
操作盤本体は収納位置においてその前面がスカートガードパネルの前面に一致し、引出位置においてその前面がスカートガードパネルの前面に対して４５°上方を向くことを特徴とする請求項２記載のエスカレータ装置。
【発明の詳細な説明】
【技術分野】
【０００１】
本発明は操作盤を有するエスカレータ装置に係り、とりわけ操作盤の操作を容易に行なうことができるエスカレータ装置に関する。
【背景技術】
【０００２】
従来のエスカレータ装置は、手摺りベルトを支持する一対の欄干と、各欄干の下方に配置されたスカートパネルと、一対の欄干の間に移動自在に配置された複数の踏段とを備えている。またスカートパネルには、垂直方向を向く操作面を有する操作盤が設けられ、この操作面にキースイッチおよび操作ボタンが取付けられている。
【発明の開示】
【発明が解決しようとする課題】
【０００３】
上述のように、従来のエスカレータ装置は操作盤を有し、この操作盤は垂直方向を向く操作面を有している。しかしながら、操作盤の操作面は垂直方向を向くため、キースイッチおよび操作ボタンの操作がむずかしく、誤操作をおこすこともある。
【０００４】
本発明はこのような点を考慮してなされたものであり、操作盤の操作を容易に行なうことができるエスカレータ装置を提供することを目的とする。
【課題を解決するための手段】
【０００５】
本発明は、手摺りベルトを支持する一対の欄干と、各欄干の下方に配置されたスカートガードパネルと、一対の欄干の間に移動自在に配置された複数の踏段と、スカートガードパネルに設けられた操作盤とを備え、操作盤はスカートガードパネルに対して引出自在になっている操作盤本体と、操作盤本体の前面に設けられたキースイッチおよび操作ボタンとを有することを特徴とするエスカレータ装置である。
【０００６】
本発明は、操作盤本体はスカートガードパネルに対して回動し、スカートガードパネル内に収納された収納位置と、スカートガードパネルから引出された引出位置とをとることを特徴とするエスカレータ装置である。
【０００７】
本発明は、操作盤本体は収納位置においてその前面がスカートガードパネルの前面に一致し、引出位置においてその前面がスカートガードパネルの前面に対して４５°上方を向くことを特徴とするエスカレータ装置である。
【発明の効果】
【０００８】
以上のように本発明によれば、操作盤の操作時に操作盤本体をスカートガードパネルから引出し、引出された操作盤本体に設けられたキースイッチおよび操作ボタンを操作する。このため操作盤本体のキースイッチおよび操作ボタンの操作性を向上させ、誤操作を未然に防止することができる。
【発明を実施するための最良の形態】
【０００９】
以下、図面を参照して本発明の実施の形態について説明する。
【００１０】
図１および図２は、本発明によるエスカレータ装置の一実施の形態を示す図である。図１および図２に示すように、エスカレータ装置１０は移動する手摺りベルト６を支持する一対の欄干７，７と、各欄干７を下方から保持するスカートガードパネル５と、一対の欄干７，７間に移動自在に配置された複数の踏段８とを備えている。
【００１１】
また一対の欄干７，７の下方部と上方部には、エスカレータ装置１０から乗客が乗り降りする乗降板９が設置されている。
【００１２】
またスカートガードパネル５の下方部分には、操作盤１１が設けられている（図２）。
【００１３】
ここで図２は図１のＡ部を示す拡大図である。
【００１４】
図２に示すように、操作盤１１はスカートガードパネル５に対して引出自在に設けられた操作盤本体１２と、操作盤本体１２の前面（操作面）１２ａに設けられたストップボタン１３、運転操作キースイッチ１４およびロック解除キースイッチ１５とを有している。
【００１５】
このうち、操作盤本体１２は、上端の回動部１２ｂを中心としてスカートガードパネル５に対して回動し、スカートガードパネル５内に収納された収納位置と、スカートガードパネル５から引出された引出位置とをとることができる。
【００１６】
この場合、操作盤本体１２が収納位置にあるとき、その前面１２ａはスカートガードパネル５の前面５ａと略同一平面上にあり、操作盤本体１２が引出位置にあるとき、その前面１２ａはスカートガードパネル５の前面５ａに対して４５°上方を向くようになっている。
【００１７】
次にこのような構成からなる本実施の形態の作用について説明する。
【００１８】
まず操作盤１１の操作盤本体１２は、スカートガードパネル５内に収納されて収納位置にある。操作盤１１の操作を行なう場合、ロック解除キースイッチ１５をキー（図示せず）により、操作盤本体１２が回動できるよう操作盤本体１２のロックを解除する。このとき、操作盤本体１２はスカートガードパネル５に対して回動可能となる。
【００１９】
次に、ロック解除キースイッチ１５内のキーを把手として操作盤本体１２を回動部１２ｂを中心にして回動させ、操作盤本体１２を引出位置にもってくる。このとき操作盤本体１２の前面（操作面）１２ａはスカートガードパネル５の前面５ａに対して４５°上方を向く。
【００２０】
この状態でロック解除キースイッチ１５からキーを引抜く。このことにより操作盤本体１２をスカートガードパネル５に対してロックすることができる。
【００２１】
次に引出位置にある操作盤本体１２の前面１２ａに設けられたストップボタン１３および運転操作キースイッチ１４を操作する。
【００２２】
以上のように本実施の形態によれば、操作盤本体１２を引出位置にもってきたとき、操作盤本体１２の前面１２ａはスカートガードパネル５の前面５ａに対して４５°上方を向くことになる。このため、前面が垂直方向にある場合に比べて、前面１２ａに設けられたストップボタン１３および運転操作キースイッチ１５を誤操作なく正しく操作することができる。
【図面の簡単な説明】
【００２３】
【図１】本発明によるエスカレータ装置の一実施の形態を示す概略図。
【図２】図１に示すエスカレータ装置のＡ部拡大図。
【符号の説明】
【００２４】
５  スカートガードパネル
５ａ  前面
６  手摺りベルト
７  欄干
８  踏段
１０  エスカレータ装置
１１  操作盤
１２  操作盤本体
１２ａ  前面
１３  ストップボタン
１４  運転操作キースイッチ
１５  ロック解除キースイッチ
【図１】
2005225615.tif 000003
【図２】
2005225615.tif 000004